(57)【特許請求の範囲】
【請求項１】
平面視矩形状の人工大理石板材をプレス加工して短手断面が略々Ｕ字形を呈する長尺凹状体を成形する工程と、
前記長尺凹状体の両端部を蓋体で閉鎖し接着固定して洗い槽を形成する工程と、
人工大理石製のカウンター天板に設けられた開口部の周縁に前記洗い槽の上端周縁を接合して接着固定する工程と、
前記カウンター天板の前側端部と左右側端部とに人工大理石製のカウンター前面板及び左右側面板の上端を接着固定する工程とを有することを特徴とする手洗いカウンターの製造方法。
【請求項２】
人工大理石製の平面視矩形のカウンター天板に設けられた開口部の周縁に、略々Ｕ字形の横断面が長手方向に連続した長尺凹状体の両端部を蓋体で閉鎖してなる人工大理石製の洗い槽の上端周縁が接着固定され、前記カウンター天板の前側端部と左右側端部とに人工大理石製のカウンター前面板及び左右側面板の上端が接着固定されてなる構成を有する手洗いカウンター。
【請求項３】
洗い槽の底部にバケツが載る程度の幅の平坦部が設けられているとともに、当該底部の左右両端部から底部中央に空けられた排水口に向けて水勾配がつけられてなる請求項２に記載の手洗いカウンター。
【請求項４】
洗い槽の幅Ｗを３００ｍｍ程度に設けてなる請求項２又は３に記載の手洗いカウンター。
【請求項５】
洗い槽の深さＤを１５０ｍｍ程度に設けてなる請求項２〜４の何れかに記載の手洗いカウンター。
【請求項６】
手洗いカウンターの脚体を、適宜な長さの鋼材の上面に複数の補強材を立設させてなる後部フレームの両端に、鋼材を上向きコ字状に組付けてなる側部フレームを接続し、両側部フレームと前記補強材との上端に、前側支持杆と後側支持杆の上面間に複数の梁杆を接続して形成されていて前記カウンターの下部を支持する上部フレームを一体に接続して構成し、
この脚体で請求項２〜５の何れかに記載のカウンターを支持して構成された手洗いシンク。
【請求項７】
請求項６に記載の手洗いシンクにおいて、
脚体の上部フレームの各梁杆に、上面がカウンター天板と洗い槽との下面に接合する形状に設けられた補強梁材が取り付けられ、脚体の上部フレーム上でカウンターがその下部を前記各補強梁材に載せて支持されるように構成されていることを特徴とする手洗いシンク。
【発明の詳細な説明】
【技術分野】
【０００１】
本発明は、複数人が並んで手洗いや水洗いをするのに適した洗い槽を備えた、人工大理石製の手洗いカウンター及び手洗いシンクに関する。
【背景技術】
【０００２】
幼稚園や保育園、小学校などの教育施設の手洗い場には、幼児等が並んで手洗いしたり複数人が協力して水洗いしたりすることができるように、横長に形成された洗い槽の上方に複数の水栓を並置した構成の手洗いシンクが設置されている。かかる手洗いシンクとしては、洗い槽をステンレス鋼などにより形成し、これを鋼製の脚体で支持した構成のもの、或いは図９に示されるように、木製や鋼製の支持フレーム１００上に、陶器や合成樹脂で洗い槽１０１ａをカウンター天板１０１ｂに一体に成型したカウンター１０１を取り付けた構成のものなどが知られている（例えば特許文献１、２参照）。
【０００３】
また、人工大理石製の洗面カウンターとして、人工大理石板材を金属製やセラミック製の金型或いは木型（以下、金型と総称する）を用い、加熱プレスによる凹凸加工によってカウンター天板とボウルを一体に成型した構成のものや、人工大理石製のカウンター板に設けた開口部に人工大理石製のボウルとなる凹状体を取り付け、この凹状体の上周縁を開口部の周縁下面に接着固定した構成のものが知られている（例えば特許文献３、４参照）。
【先行技術文献】
【特許文献】
【０００４】
【特許文献１】特開２００８−２７２１２９号公報
【特許文献２】特開平７−１３３６２２号公報
【特許文献３】特開２０００−１２６０５０号公報
【特許文献４】特開平１１−１２３１１４号公報
【発明の概要】
【発明が解決しようとする課題】
【０００５】
人工大理石板材を成型してなる洗面カウンターは、表面が綺麗で耐衝撃性に優れ、また、無垢材のため汚れが染み難く、手入れが簡単で衛生的であるという利点を備えており、前記図９に示されたような洗い槽を備えた手洗いカウンター１０１を人工大理石板材で形成することができれば好ましい。
【０００６】
しかし、人工大理石板材をプレス加工によって洗い槽とカウンター天板を一体に成形する場合、一つの金型で成形されるカウンターは専用のサイズとなるため、例えば５人が並んで手洗いできる大きさのカウンター、４人用のカウンターというように、各サイズ毎に専用の金型を製作する必要があり、成形コストがかかるという問題がある。各サイズで成形されたカウンターは、それ以外のサイズのものとして転用することはできず、様々なサイズのニーズに対応するには各サイズの金型を取り揃えておかなければならない。また、加熱プレスは４面曲げ成形であり、入隅部の曲げ半径が小さすぎると人工大理石板材に成形歪みや変色が生じ、そのため、入隅部の曲げ半径は大きくならざるを得ず、成形形状が制限されるという問題もある。
【０００７】
また、洗い槽を備えたカウンターの全面を人工大理石板材の切り板による接着加工によって成形する場合、すなわち洗い槽の横長な底部の前後に前面部と後面部、左右に両側面部を各々接着し、各面部の上端をカウンター天板に接着して成形する場合、常に水の流れがある洗い槽の底部の長辺方向（左右方向）両側に前面部と後面部との接着面が露出するため、接着剤が経年劣化して強度減衰したり漏水が発生したりする危険性がある。常時浸水している接着面はカビや細菌の発生原因になりやすく、また、汚れもつきやすく不衛生であり、さらに切り板による接着加工では強度不足を補うためカウンターの裏面に下地補強加工が必要となり、成形コストがかかるという問題もある。
【０００８】
本発明は従来技術の有するこのような問題点に鑑み、接着剤の経年劣化による強度低下を来し難く且つサイズの変更にもフレキシブルに対応可能であり、衛生的で外観が綺麗な、人工大理石製の洗い槽を備えたカウンター及び手洗いシンクを得ることを課題とする。
【課題を解決するための手段】
【０００９】
前記課題を解決するため本発明は、平面視矩形状の人工大理石板材をプレス加工して短手断面が略々Ｕ字形を呈する長尺凹状体を成形する工程と、前記長尺凹状体の両端部を蓋体で閉鎖し接着固定して洗い槽を形成する工程と、人工大理石製のカウンター天板に設けられた開口部の周縁に前記洗い槽の上端周縁を接合して接着固定する工程と、前記カウンター天板の前側端部と左右側端部とに人工大理石製のカウンター前面板及び左右側面板の上端を接着固定する工程との各加工工程を有するカウンターの製造方法により人工大理石製の手洗いカウンターを製造することを特徴とする。
また、本発明の手洗いカウンターは、人工大理石製のカウンター天板に設けられた開口部の周縁に、略々Ｕ字形の横断面が長手方向に連続した長尺凹状体の両端部を蓋体で閉鎖してなる人工大理石製の洗い槽の上端周縁が接合して接着固定され、前記カウンター天板の前側端部と左右側端部とに人工大理石製のカウンター前面板及び左右側面板の上端が接着固定されてなる構成を有することを特徴とする。
【００１０】
これによれば、平面視矩形状の人工大理石板材をプレス加工し、当該板材の長辺方向の２面のみを曲げ成形して長尺凹状体を形成し、この長尺凹状体の両端部に蓋体を接着固定して洗い槽が形成され、この洗い槽の中の接着面が水の流れが最も少ない両端部の一部のみであるため、浸水による接着剤の劣化が生じ難く、また、汚れもつき難く、施工当初の強度を維持した衛生的な手洗いカウンターを構成することができる。
また、手洗いカウンターは、人工大理石板材の２面のみを曲げ加工して製造することができるので、前記４面曲げ成形よりも小さな曲げ半径で洗い槽を成形することができ、例えば洗い槽の底部を細幅にして深く形成するなど、自由度が増した成形条件で様々な寸法及び形状のものを形成することが可能である。
さらに、洗い槽を構成する長尺凹状体は、その端部を適宜な長さ切断することで両端部間の長さを調整可能であり、多人数用の長尺凹状体を成形する一台のプレス金型で、このプレス金型で成形されるものよりも小さなサイズの小人数用の洗い槽を形成することができ、様々なサイズにフレキシブルに対応した手洗いカウンターを製造することが可能である。
【００１１】
前記構成の手洗いカウンターにおいて、洗い槽の底部にバケツが載る程度の幅の平坦部が設けられているとともに、当該底部の左右両端部から底部中央に空けられた排水口に向けて水勾配がつけられてなる構成を有することが好ましい。
洗い槽の底部中央の排水口に向けて水勾配がつけられていれば、洗い槽の両端部の蓋体の接着部分に水が浸り難くなって接着剤の劣化が抑制され、また、洗い槽の底部にバケツが載る程度の幅の平坦部が設けられていれば、洗い槽の中にバケツや洗面器などを置くなどして物を水洗いするなど利便性を高めることができ、また、幼稚園などの施設に設置し、手洗いカウンター内での水作業を通じて幼児教育するのにも好適である。
前記構成の手洗いカウンターにおいて、洗い槽の幅Ｗを３００ｍｍ程度に設けてなることが好ましい。また、洗い槽の深さＤを１５０ｍｍ程度に設けてなることが好ましい。
【００１２】
長尺凹状体からなる洗い槽を平面視矩形の天板の開口部内に接着固定してなる前記構成のカウンターを支持して手洗いシンクを構成する脚体としては、適宜な長さの鋼材の上面に複数の補強材を立設させてなる後部フレームの両端に、鋼材を上向きコ字状に組付けてなる側部フレームが接続され、両側部フレームと前記補強材との上端に、前側支持杆と後側支持杆の上面間に複数の梁杆を接続して形成されていて前記カウンターの下部を支持する上部フレームが一体に接続されて構成されたものを用いることが好ましい。
これによれば、脚体の前側支持杆と後側支持杆の上面間に複数の梁杆を架設してなる上部フレームがカウンターの下部全体に当接してカウンターを安定的に支持することができ、また、脚体にカウンターを支持させた状態でカウンターの前側下方が空間部となるため、手洗いをする利用者の足先に脚体が当たって邪魔となるようなことはない。また、この脚体を用いて手洗いシンクを車いす利用者にも利用可能な高さに設ける場合、カウンターの下部に確保される前記空間部に車いすを進入させることで、車いすに乗ったまま手洗いをすることが可能となる。
前記鋼材や補強材、各支持杆、梁杆としては、ステンレス鋼や耐蝕加工が施された鉄などからなる、角管や丸管、平板材、アングル材など適宜な強度を備えた適宜な厚みの金属材を用いることができる。
【００１３】
また、前記構成のカウンターを脚体で支持して手洗いシンクを構成する場合、脚体の上部フレームの各梁杆に、上面がカウンター天板と洗い槽との下面に接合する形状に設けられた補強梁材を取り付け、脚体の上部フレーム上でカウンターがその下部を前記各補強梁材に載せて支持されるように構成することが好ましい。
これによれば、カウンター天板と洗い槽との下面に複数の補強梁材を接合させて補強することでカウンターの鉛直向きの耐荷重が高まり、さらにカウンターの前面板の内側に補強梁材の端部を接合させて支持させることでカウンターの強度が高まり、洗い槽の中に物を置いたり利用者がカウンターに寄りかかったりしても、カウンターを変形させることなく脚体上の当初の支持位置に安定的に固定しておくことができる。
【００１４】
前記構成の手洗いカウンターにおいて、成形材料としての人工大理石は無機充填剤を含有したメタクリル樹脂からなる板状材料が好適であるが、これに限定されない。また、洗い槽を構成する長尺凹状体の成形は、適宜な厚みの人工大理石板材を適宜な温度に加熱して軟化させ、これを雄雌金型でプレス成形するなどの公知の加工方法を用いて行うことができる。
長尺な洗い槽をカウンターに設けた手洗いシンクは、幼稚園や保育園、小学校などの教育施設に多数設置されているが、特に幼児や園児の利用を考慮して手洗いシンクを構成する場合、幼児等が手洗いシンクの前面に立って水栓を操作できるようにするため、図５に示されるように、洗い槽の幅Ｗは３００ｍｍ程度、深さＤは１５０ｍｍ程度に設定することが好ましい。また、カウンターの設置高さは、厚生労働省による平成１９年国民健康・栄養調査報告によれば、５歳児の平均身長が約１０９．６ｃｍであり、カウンター上端までの高さＨを５４０ｍｍ程度に設定してあれば、児童等が最も手洗いをし易い高さとなって好ましい。また、年長組と年少組で手洗い場を別々に設ける場合は、年長組の手洗いシンクはカウンターを前記高さに設定し、年少組の手洗いシンクは、前記報告による３歳児の平均身長が約９５ｃｍであることから、カウンター上端までの高さＨを４７０ｍｍ程度に設定することが好ましい。また、小学校低学年の児童用の手洗いシンクを構成する場合は、カウンター上端までの高さＨを６００ｍｍ程度に設定することが好ましい。
洗い槽の底部に設ける平坦部はバケツや洗面器などを置くことが可能な、幅１２０ｍｍ〜１５０ｍｍ程度に設定することが好ましい。洗い槽の幅Ｗと深さＤを前記寸法として洗い槽を成形する場合、洗い槽の底部と前後壁部との曲げ半径Ｒを５０ｍｍ程度に設定すれば、洗い槽の断面は平坦な底部の両端に前後壁面が緩やか湾曲しつつ立ち上がったお椀型形状となり、洗い槽の底部に幅１２０ｍｍ程度の平坦部を確保することができる。
【図面の簡単な説明】
【００１５】
【図１】本発明の一実施形態の手洗いシンクの外観斜視図である。
【図２】図１の手洗いシンクを構成するカウンターの構成部材を展開した斜視図である。
【図３】図１の手洗いシンクを構成する脚体の構成部材を展開した斜視図である。
【図４】図１の手洗いシンクの要部を破断して示した正面図である。
【図５】図１の手洗いシンクの横断面図である。
【図６】補強梁材を介して脚体にカウンターを固定する工程を説明するための図である。
【図７】（Ａ）、（Ｂ）は本発明の他の実施形態の手洗いシンクの平面図である。
【図８】脚体の構成が異なる手洗いシンクの他の実施形態の外観斜視図である。
【図９】従来の手洗いシンクの外観図である。
【発明を実施するための形態】
【００１６】
本発明の好適な実施形態を図面に基づいて説明する。
図１は本発明の一実施形態の手洗いシンクを示しており、この手洗いシンク１は、５人の利用者が並んで手洗いができる大きさに形成された人工大理石製のカウンター２を、角管など鋼材により組み立てられた金属製の脚体３で支持し一体に固定して構成されたものである。
【００１７】
カウンター２は、図２に示されるように、略々Ｕ字形の横断面が長手方向に連続した長尺凹状体２１の両端部を蓋体２２、２２で閉鎖してなる人工大理石製の洗い槽２３を備えており、この洗い槽２３の上端周縁を平面視矩形状の人工大理石製のカウンター天板２４に設けられた開口部２４ａの周縁下部に接着固定し、カウンター天板２４の前側端部と左右側端部とに、同じく人工大理石製のカウンター前面板２５と左右側面板２６、２６のそれぞれの上端を接着固定して形成されている。図中、符号２４ｂはカウンター天板２４に形成された水栓５の取り付け孔である。
詳しくは、洗い槽２３を構成する長尺凹状体２１は、平面視矩形状の人工大理石板材をプレス加工して短手断面が略々Ｕ字状のお椀型を呈するように形成されており、その底部には長手方向に沿ってバケツが載る程度の幅の平坦部２１ａが設けられ、また、図４に示されるように、底部の左右両端部から底部中央に空けられた排水口２１ｂに向けて水勾配がつけられている。蓋体２２、２２は、人工大理石板材を長尺凹状体２１の端部開口を閉鎖する形状に切断してなり、長尺凹状体２１の端面に接合して接着固定されている。
カウンター２は、人工大理石板材をプレス加工して成形された長尺凹状体２１の両端部開口に蓋体２２、２２を接着固定して洗い槽２３を形成し、この洗い槽２３の上端周縁をカウンター天板２４の開口部２４ａの周縁下部に接着固定して一体化させ、さらに洗い槽２３の周囲を覆うようにして、カウンター天板２４の前側端部と左右側端部とにカウンター前面板２５と左右側面板の２６、２６の上端を接合し接着固定する加工手順により形成することができる。カウンター天板２４にカウンター前面板２５と左右側面板の２６、２６を接着固定しておき、その後、カウンター天板２４に洗い槽２３を接着固定してもよい。
【００１８】
脚体３は、角管などのステンレス鋼材や耐蝕加工が施された鉄材を、溶接やボルトによって組付けて構成されており、図３に示されるように、適宜な長さの角管３１ａの上面に複数の補強管３１ｂを立設させて後部フレーム３１を形成し、この後部フレーム３１の両端に、角管３２ａを上向きコ字状に組付けて形成された側部フレーム３２、３２を接続し、両側部フレーム３２、３２と前記補強管３１ｂとの上端に、前側支持杆３３ａと後側支持杆３３ｂの上面間に複数の梁杆３３ｃを接続して形成されていてカウンター２の下部を支持する上部フレーム３３を一体に接続して構成されている。
【００１９】
脚体３上へのカウンター２の組付けは、図６に示されるように、合板を貼り合わせるなどして適宜な太さに形成されていて上面がカウンター天板２４と洗い槽２３との下面に接合するように湾曲した形状に形成された補強梁材４を、カウンター２の下部に、その上面をカウンター天板２４と洗い槽２３との下面を重ね合わせた状態で一体に取り付け、且つカウンター２の前面板２５の内面に補強梁材４の前側端部を接合して支持させ、この補強梁材４が下部に取付けられたカウンター２を、各補強梁材４を脚体３の各梁杆３３ｃの上面に載せて、各補強梁材４と各梁杆３３ｃとを固定する。そして、カウンター２の前面板２５の内側に一体に埋め込んで設けた複数のメネジに、脚体３の前側支持杆３３ａの内側からボルトを螺合するなどし（図５参照）、カウンター２を脚体３にボルト留めして脚体３上に固定する手順により行うことができる。
そして、このように構成された手洗いシンク１は、カウンター２に水栓５を取り付けるとともに、洗い槽２３の排水口２１ａに排水枡６を取り付けることで手洗い場としての利用に供することができる。
【００２０】
図７は本発明の他の実施形態の手洗いシンク１を示しており、これは、前記形態の洗い槽２３を構成する長尺凹状体２１の両端部を適宜な幅だけ切断し、両端部間の長さを調節することで、４人用のサイズのカウンター２と２人用のサイズのカウンター２を形成し、それぞれのサイズに対応して形成された脚体３で支持して手洗いシンク１を構成したものである。
【００２１】
また、図８は本発明のさらに他の実施形態の手洗いシンク１を示しており、これは、脚体３をその側部フレーム３３、３３間にカウンター２の下部中央を支持する支持フレーム３４、３４を設けて構成したものである。
【００２２】
本発明の脚体３は、組み立て式として工場から出荷し、これを現場において組み立て設置することが可能である。その場合、構成がコンパクトであるので輸送コストがかからず、また、構成部品毎に梱包して輸送することで輸送中に傷がついたり壊れたりすることもない。また、組み立て式とすることで、構成部材の交換が可能であり、メンテナンスが容易になるという利点を奏する。
【００２３】
なお、図示した手洗いカウンター及び脚体は、本発明の実施形態の一例を示すものであり、本発明はこれに限定されず、手洗いシンクの設置場所や利用形態などに応じて他の適宜な形態で構成することが可能である。本発明の手洗いカウンターを図示した脚体以外の脚体で支持すること、或いは本発明の脚体を図示した手洗いカウンター以外のカウンターを支持することは任意に行うことができる。また、本発明の手洗いシンクは、幼稚園や保育園、小学校などの子供が利用する教育施設に設置する他に、成人が利用する各種施設、公園など屋内外の公共施設にも設置することが可能である。
【符号の説明】
【００２４】
１  手洗いシンク、２  カウンター、２１  長尺凹状体、２２  蓋体、２３  洗い槽、２４  カウンター天板、２５  前面板、２６  側面板、３  脚体、３１  後部フレーム、３２  側部フレーム、３３  上部フレーム、３４  支持フレーム、４  補強梁材、５  水栓、６  排水枡
【図１】
0005155383.tif 000002
【図２】
0005155383.tif 000003
【図３】
0005155383.tif 000004
【図４】
0005155383.tif 000005
【図５】
0005155383.tif 000006
【図６】
0005155383.tif 000007
【図７】
0005155383.tif 000008
【図８】
0005155383.tif 000009
【図９】
0005155383.tif 000010